(57)【要約】    【課題】      離れた場所に対応付けられたコンテンツであっても、適切なタイミングで表示することができる端末装置を提供すること。    【解決手段】  本発明は、有効となる時刻と地理的位置が関連つけられたコンテンツに対し、現在位置からコンテンツに記載された位置までの移動所要時間を計算し、コンテンツが有効となる時刻よりも移動所要時間分前もって利用者に表示するようにした。これにより、利用者は表示されたコンテンツを参照してから移動所要時間かけてコンテンツに記載された位置に移動し、コンテンツに記載された時刻に行われるイベントを体験することができる。  【選択図】      図１
2007041955.tif 000002
【特許請求の範囲】
【請求項１】
コンテンツに付帯するコンテンツ位置情報を取得する位置情報取得部と、前記コンテンツに付帯する前記コンテンツが有効となる時刻を示すコンテンツ時刻情報を取得する時刻情報取得部と、現在位置を取得する現在位置取得部と、現在時刻を取得する現在時刻取得部と、前記コンテンツ位置情報と前記現在位置情報との距離を計算し前記コンテンツ位置情報が示す位置までの移動所要時間を計算する所要時間計算部と、前記移動所要時間を用いて、前記コンテンツを前記現在時刻において表示した場合に前記コンテンツ時刻情報より前に前記コンテンツ位置情報に対応する位置に到着できるかにより、当該コンテンツを表示すべきか否かを判断する表示制御部と、を有することを特徴とする端末装置。
【請求項２】
前記所要時間計算部が、前記コンテンツ位置情報と前記現在位置情報との距離を鉄道路線図または道路地図を用いて直線距離または移動経路の少なくとも一方を用いて計算し、徒歩、電車、自転車、自動車、船舶、航空機の少なくとも１つの移動手段の移動速度を想定して前記移動所要時間を計算することを特徴とする請求項１記載の端末装置。
【請求項３】
前記表示制御部が、前記移動手段に応じて異なる表示を行うことを特徴とする請求項１に記載の端末装置。
【請求項４】
前記表示制御部が、前記移動手段毎に、前記コンテンツ時刻情報より前に前記コンテンツ位置情報に対応する位置に到着できるか表示することを特徴とする請求項３記載の端末装置。
【請求項５】
前記端末装置の利用者の年齢、年代、性別、職業、趣味の少なくとも１つを含むプロファイル情報を管理するプロファイル情報管理部と、前記プロファイル情報と一致する属性情報を付帯する前記コンテンツを表示対象として選択するコンテンツ選択部と、を有し、
前記コンテンツ選択部が選択した前記コンテンツに対して、前記コンテンツを前記現在時刻において表示した場合に前記コンテンツ時刻情報より前に前記コンテンツ位置情報に対応する位置に到着できるかにより、当該コンテンツを表示すべきか否かを判断することを特徴とする請求項１記載の端末装置。
【請求項６】
表示された前記コンテンツの表示時刻、表示回数、表示位置の少なくとも１つを含む表示履歴を管理する表示履歴管理部と、前記表示履歴に基づいて表示対象とするコンテンツを選択するコンテンツ選択部と、を有し、
前記コンテンツ選択部が選択した前記コンテンツに対して、前記コンテンツを前記現在時刻において表示した場合に前記コンテンツ時刻情報より前に前記コンテンツ位置情報に対応する位置に到着できるかにより、当該コンテンツを表示すべきか否かを判断することを特徴とする請求項１記載の端末装置。
【発明の詳細な説明】
【技術分野】
【０００１】
本発明は、受信情報を表示する端末装置に関する。
【背景技術】
【０００２】
従来より、地理的位置に関する情報を、ユーザが端末で設定した時刻に表示するものがある（例えば、特許文献１参照）。この方法は、地図情報とともにレストランなどの各種施設に関する情報を表示する車両用ナビゲーション装置に関する。具体的には、所望する施設のカテゴリと、その施設に関する情報を表示させる所望の表示時間とをユーザが設定することにより、例えば昼食の時間帯に自動的に端末装置の現在位置周辺のレストラン情報が表示できるようにしたものである。
【特許文献１】特開２００１−９１２７４号公報
【発明の開示】
【発明が解決しようとする課題】
【０００３】
しかしながら、従来の方法では、端末装置の現在位置周辺の情報を対象としており、離れた位置の情報に対応していない。そのため、ユーザが高い関心を持っている情報であっても、情報が対応付けられた場所の付近に端末装置が近づかない限り、該当する情報を表示することができないという課題を有していた。
【０００４】
本発明は、離れた場所に対応付けられたコンテンツであっても、移動を考慮した適切なタイミングで表示することができる端末装置を提供することを目的とする。
【課題を解決するための手段】
【０００５】
本発明の端末装置は、有効となる時刻と地理的位置が関連つけられたコンテンツに対し、現在位置からコンテンツに記載された位置までの移動所要時間を計算し、コンテンツが有効となる時刻よりも移動所要時間分前もって利用者に表示するようにした。
【発明の効果】
【０００６】
本発明によれば、特定の時刻に有効となるコンテンツを、そのコンテンツが関連付けられた地理的位置から端末装置が離れた距離にあっても移動所要時間を見込むことにより、コンテンツが有効となる時間より前に地理的位置に到着できるタイミングで表示することができる。つまり、利用者はコンテンツの表示を参照してから移動所要時間かけてコンテンツに記載された位置に移動し、コンテンツに記載された時刻に行われるイベント等を体験することができる。このように、コンテンツの効果を最大限にユーザに提供することができる。
【発明を実施するための最良の形態】
【０００７】
本発明の第１の態様にかかる端末装置は、コンテンツに付帯するコンテンツ位置情報を取得する位置情報取得部と、前記コンテンツに付帯する前記コンテンツが有効となる時刻を示すコンテンツ時刻情報を取得する時刻情報取得部と、現在位置を取得する現在位置取得部と、現在時刻を取得する現在時刻取得部と、前記コンテンツ位置情報と前記現在位置情報との距離を計算し前記コンテンツ位置情報が示す位置までの移動所要時間を計算する所要時間計算部と、前記移動所要時間を用いて、前記コンテンツを前記現在時刻において表示した場合に前記コンテンツ時刻情報より前に前記コンテンツ位置情報に対応する位置に到着できるかにより、当該コンテンツを表示すべきか否かを判断する表示制御部と、を有する構成を採る。
【０００８】
これにより、コンテンツ時刻情報に有効となるコンテンツを、そのコンテンツに関連付けられたコンテンツ位置情報から端末装置が離れた距離にあっても移動所要時間を見込むことにより、端末装置がコンテンツ時刻情報より前にコンテンツ位置情報に到着できるタイミングで表示することができる。つまり、利用者はコンテンツの表示を参照してから移動所要時間かけてコンテンツ位置情報の位置に移動し、コンテンツ時刻情報に行われるイベント等を体験することができる。このように、コンテンツの効果を最大限にユーザに提供することができる。
【０００９】
本発明の第２の態様は、第１の態様にかかる端末装置において、前記所要時間計算部が、前記コンテンツ位置情報と前記現在位置情報との距離を鉄道路線図または道路地図を用いて直線距離または移動経路の少なくとも一方を用いて計算し、徒歩、電車、自転車、自動車、船舶、航空機の少なくとも１つの移動手段の移動速度を想定して前記移動所要時間を計算する。
【００１０】
これにより、徒歩、電車、自転車、自動車、船舶、航空機の少なくとも１つの移動手段を利用した移動を選択できる。
【００１１】
本発明の第３の態様は、第１の態様にかかる端末装置において、前記表示制御部が、前記移動手段に応じて異なる表示を行う。
【００１２】
これにより、容易に使用する移動手段を選択することができる。
【００１３】
本発明の第４の態様は、第３の態様にかかる端末装置において、前記表示制御部が、前記移動手段毎に、前記コンテンツ時刻情報より前に前記コンテンツ位置情報に対応する位置に到着できるか表示する。
【００１４】
これにより、どの移動手段を用いれば、コンテンツ時刻情報より前にコンテンツ位置情報に対応する位置に到着できるか容易に判断できる。
【００１５】
本発明の第５の態様は、第１の態様にかかる端末装置において、前記端末装置の利用者の年齢、年代、性別、職業、趣味の少なくとも１つを含むプロファイル情報を管理するプロファイル情報管理部と、前記プロファイル情報と一致する属性情報を付帯する前記コンテンツを表示対象として選択するコンテンツ選択部と、を有し、前記コンテンツ選択部が選択した前記コンテンツに対して、前記コンテンツを前記現在時刻において表示した場合に前記コンテンツ時刻情報より前に前記コンテンツ位置情報に対応する位置に到着できるかにより、当該コンテンツを表示すべきか否かを判断する。
【００１６】
これにより、プロファイル情報を用いてコンテンツを絞り込んでから、そのコンテンツを表示するか否かを判断できる。これは、大量に処理するコンテンツがある場合に好適である。
【００１７】
本発明の第６の態様は、第１の態様にかかる端末装置において、表示された前記コンテンツの表示時刻、表示回数、表示位置の少なくとも１つを含む表示履歴を管理する表示履歴管理部と、前記表示履歴に基づいて表示対象とするコンテンツを選択するコンテンツ選択部と、を有し、前記コンテンツ選択部が選択した前記コンテンツに対して、前記コンテンツを前記現在時刻において表示した場合に前記コンテンツ時刻情報より前に前記コンテンツ位置情報に対応する位置に到着できるかにより、当該コンテンツを表示すべきか否かを判断する。
【００１８】
これにより、同一のコンテンツが繰り返し表示されることを避けることができる。
【００１９】
以下本発明の実施の形態について、図面を参照しながら説明する。
【００２０】
（実施の形態１）
まず、本発明の実施の形態１にかかるコンテンツ配信システムの構成について、図１を用いて説明する。図１は、実施の形態１にかかるコンテンツ配信システムの全体構成図である。
【００２１】
端末装置２０２は、移動端末である。端末装置２０２の近くには、Ａショッピングセンター２０４がある。また、端末装置２０２の位置から１時間の移動所要距離にはＢコンサートホール２０５がある。端末装置２０２は、位置や時刻に関連したコンテンツを利用者に対して表示する。
【００２２】
蓄積装置２０３は、位置や時刻に関連したコンテンツを蓄積する。端末装置２０２は、必要に応じて蓄積装置２０３からコンテンツを取り出して表示する。
【００２３】
例えば、端末装置２０２は、近くのＡショッピングセンター２０４の広告情報を表示する。これにより、利用者に自分の近くにある施設の内容を知ることができる。また、現在時刻が１２時５０分であるとき、１３時からＡショッピングセンターで開催されるイベントの情報２０６を端末装置２０２が表示することにより、時間の限定された情報を利用者にタイミングよく伝えることが可能となる。
【００２４】
一方、距離の離れたＢコンサートホール２０５で１時間後に開催されるイベントの情報２０７も、端末装置２０２がイベント開催１時間前に利用者に通知する。これにより、利用者は、１時間の移動所要時間の後にＢコンサートホール２０５でのイベントを楽しむことが可能となる。
【００２５】
このように、端末装置２０２は、位置や時刻に関連したコンテンツを、関連した時刻に関連した位置に到着できるようなタイミングで表示する。
【００２６】
なお、端末装置２０２は、移動が可能な端末であるが、携帯電話型の端末であっても、車載型の端末であってもよいし、携帯型のコンピュータであってもよい。
【００２７】
また、蓄積装置２０３は、ＣＤ−ＲＯＭなどの光ディスクやハードディスクなどの磁気ディスク、半導体メモリなどの記憶媒体であり得る。
【００２８】
また、端末装置２０２が表示するイベント情報２０６及び２０７は、蓄積装置２０３に予め蓄積されているものとするが、これは放送局２０１から放送を受信して蓄積されたものであっても、また通信サーバ２０８から通信により受信して蓄積されたものであってもよい。また、記憶媒体に記録されて配布されたものであってもよい。
【００２９】
次に、実施の形態１にかかる端末装置２０２の構成について、図２を用いて説明する。図２は、実施の形態１における端末装置２０２のブロック図である。
【００３０】
端末装置２０２は、コンテンツ１０１を蓄積するコンテンツ蓄積部１１０が設けられている。コンテンツ蓄積部１１０は、蓄積装置２０３に蓄積されているコンテンツを格納する。コンテンツの形式としては、テキスト、静止画、音声、動画、コンピュータグラフィックス、あるいはそれらの組み合わせであることが考えられる。また、コンテンツ１０１には、位置情報と時刻情報が関連付けられて記載されている。コンテンツ１０１の種類の例としては、位置情報で指定された場所にある店舗や施設において、特定の時刻に行われる行事や催し物などのイベントに関する案内や宣伝広告があり得る。位置情報は、緯度と経度の組み合わせである点を表現していてもよいし、複数の点で囲まれた領域を表現していてもよい。また、位置情報は、緯度と経度ではなく、郵便番号や住所で点または領域を表現していてもよい。時刻情報は、１つの時刻によりある一時点を表現していてもよいし、開始時刻と終了時刻との組み合わせで期間を表現していてもよい。
【００３１】
コンテンツ１０１に記載される位置情報及び時刻情報は、コンテンツ１０１の一部として、コンテンツのヘッダ部などに書かれてもよいし、コンテンツ１０１とは別のファイルなどに書かれてもよい。
【００３２】
コンテンツ１０１に付与される位置情報及び時刻情報について、図３を用いて説明する。図３は、コンテンツ１０１の記述を示す図である。図３ではコンテンツ１０１の例としてＨＴＭＬを用いるが、他のフォーマットを用いても良い。また、図３の各行の左端は説明の都合上、行番号を記載してある。
【００３３】
図３は０１行から始まり１１行で終わるＨＴＭＬコンテンツの例である。図３の０２行の＜ｈｅａｄ＞から０６行の＜／ｈｅａｄ＞までがヘッダ部であり、０７行の＜ｂｏｄｙ＞から１０行の＜／ｂｏｄｙ＞までがコンテンツの本体となっている。
【００３４】
この例では、０４行に位置情報（ｐｏｓ：）が記述され、位置情報の詳細として緯度（Ｌａｔ：Ｎ３５．２０．４５．１）と経度（Ｌｏｎ：Ｅ１３５．１５．２７．６）が記述されている。
【００３５】
また、０５行に時刻情報（ｔｉｍｅ：）が記述され、時刻情報の詳細として開始時刻（Ｂｅｇｉｎ：２００５０３０１１４００００、２００５年３月１日１４時）及び終了時刻（Ｅｎｄ：２００５０３０１１６００００、２００５年３月１日１６時）が記述されている。
【００３６】
このように、コンテンツ１０１の一部には、位置情報及び時刻情報が記載されている。
【００３７】
なお、位置情報及び時刻情報は、コンテンツ１０１と別のファイルに記載されていても良い。図４は、位置情報及び時刻情報をコンテンツとは別のファイルとした記述例を示す図である。なお、図４では記載方法の例としてＸＭＬを用いるが、他の記載方法で記載してもよい。図４も、図３同様に各行の左端は説明の都合上、行番号を付してある。
【００３８】
図４は０１行から始まり１２行で終わる位置情報及び時刻情報の例である。図４では、０３行に対応するコンテンツを特定する情報が記載されている。この例ではｃｏｎｃｅｒｔ．ｈｔｍｌで特定されるコンテンツに関する位置情報及び時刻情報であることを示す。
【００３９】
また、０４行から０７行までに位置情報が記述されている。具体的には、０５行の＜Ｌａｔｉｔｕｄｅ＞に緯度が記述され、０６行の＜Ｌｏｎｇｉｔｕｄｅ＞に経度が記述されている。
【００４０】
また、０８行から１１行までに時刻情報が記述されている。具体的には、０９行の＜ＢｅｇｉｎＴｉｍｅ＞に開始時刻が、１０行の＜ＥｎｄＴｉｍｅ＞に終了時刻が記述されている。
【００４１】
ここで、図２を用いて端末装置２０２の説明に戻る。
【００４２】
位置情報取得部１０２は、蓄積されたコンテンツ１０１から、コンテンツ１０１に記載された位置情報を取得する。時刻情報取得部１０３は、蓄積されたコンテンツ１０１から、コンテンツ１０１に記載された時刻情報を取得する。
【００４３】
現在位置取得部１０４は、端末装置２０２がいる現在位置情報を取得する。現在位置取得部１０４が現在位置情報を取得する方法としては、専用の衛星の電波から位置情報を計算するＧＰＳ（Ｇｌｏｂａｌ  Ｐｏｓｉｔｉｏｎｉｎｇ  Ｓｙｓｔｅｍ）を用いる方法や、接続している携帯電話の基地局から基地局のＩＤまたは位置情報を取得する方法などが考えられる。
【００４４】
現在時刻取得部１０５は、現在の時刻情報を取得する。
【００４５】
所要時間計算部１０６は、現在位置取得部１０４が取得した端末装置２０２の現在位置と、位置情報取得部１０２が取得したコンテンツ１０１の位置情報とを用いて、現在位置からコンテンツ１０１に記述された位置情報が示す位置まで移動するのに必要な移動所要時間を計算する。所要時間計算部１０６の移動所要時間の計算方法としては、例えば、以下の方法が考えられる。
【００４６】
１）直線距離を計算し、予め想定した移動手段（例えば自動車）での移動速度（例えば時速３０キロメートル）で割って移動所要時間を計算する。
【００４７】
２）地図情報を予め保持し、移動経路を計算して移動距離を求める。求めた移動距離を予め指定した移動手段での移動速度で割って移動所要時間を計算する。
【００４８】
３）電車やバスの路線図情報を予め保持し、路線図情報を用いて移動経路を計算する。移動経路上の各移動区間の距離と使用する交通手段、交通手段の乗り継ぎ時間、徒歩での移動時間などを考慮して移動所要時間を計算する。また、移動所要時間を計算する際、運転時刻表から運転時刻を加味して計算してもよい。
【００４９】
表示時刻計算部１０７は、現在時刻取得部１０５が取得した現在時刻から、時刻情報取得部１０３が取得したコンテンツの時刻情報までの残り時間を計算する。
【００５０】
表示制御部１０８は、移動所要時間と表示時刻計算部１０７が計算した残り時間とを比較し、移動所要時間が残り時間とほぼ等しい場合に該当するコンテンツを表示部１０９で表示するという判断をする。すなわち、表示制御部１０８は、コンテンツ１０１を現在時刻において表示した場合に、コンテンツ１０１が有効となる時刻よりも前に端末装置２０２が到着できるか判断することにより、コンテンツ１０１を表示すべきか否かを判断する。
【００５１】
表示部１０９は、表示制御部１０８が表示することを決定したコンテンツの表示を行う。表示部１０９は、コンテンツ表示のほか、音声案内や音楽の提示も行う。
【００５２】
以上のように、端末装置２０２は、構成されている。
【００５３】
次に、端末装置２０２のコンテンツ表示処理について、図５のフローチャートを用いて説明する。
【００５４】
まず、端末装置２０２は、蓄積装置２０３に蓄積されているコンテンツ１０１をコンテンツ蓄積部１１０に蓄積する（ＳＴ５０１）。次に、端末装置２０２の位置情報取得部１０２が蓄積されたコンテンツ１０１から位置情報を取得し、時刻情報取得部１０３がコンテンツ１０１から時刻情報を取得する（ＳＴ５０２）。
【００５５】
また、新たなコンテンツ１０１をコンテンツ蓄積部１１０に蓄積した等、コンテンツ１０１の更新があった場合は、端末装置２０２は、位置情報及び時刻情報の取得を再度行う。
【００５６】
次に、端末装置２０２は、以下の処理を繰り返し実施する。端末装置２０２が、以下の処理を実施するタイミングとしては、一定時間間隔、端末装置２０２が一定距離移動した後、などが考えられる。
【００５７】
まず、現在位置所得部１０４が、端末装置２０２の現在位置情報を取得し、現在時刻取得部１０５が現在時刻情報を取得する（ＳＴ５０３）。
【００５８】
次に、所要時間計算部１０６が、現在位置取得部１０４が取得した現在位置情報と、位置情報取得部１０２が取得したコンテンツ１０１の位置情報との距離を計算する。そして、所要時間計算部１０６が、計算した距離を用いることで、想定した交通手段を用いて現在位置からコンテンツの位置まで移動するのにかかる移動所要時間を計算する（ＳＴ５０４）。
【００５９】
次に、表示時刻計算部１０７は、現在時刻取得部１０５が取得した現在時刻から、時刻情報取得部１０３が取得したコンテンツの時刻情報までの残り時間を計算する（ＳＴ５０５）。
【００６０】
次に、表示制御部１０８は、移動所要時間と表示時刻計算部１０７が計算した残り時間とを比較し（ＳＴ５０６）、移動所要時間が残り時間とほぼ等しい場合に該当するコンテンツを表示部１０９で表示する（ＳＴ５０７）。すなわち、表示制御部１０８は、コンテンツ１０１を現在時刻において表示した場合に、コンテンツ１０１が有効となる時刻よりも前に端末装置２０２が到着できるか判断することにより、コンテンツ１０１を表示すべきか否かを判断する。
【００６１】
現在位置から該当コンテンツの位置までの移動所要時間と、現在時刻から該当コンテンツに指定された時刻情報までの残り時間との比較により表示を行うかどうかの判断は、以下の式によって行うことができる。
【００６２】
Ａ＝（残り時間）−（移動所要時間）
（１）δ２＜Ａ        ・・・残り時間に余裕がある（まだ表示しなくてよい）
（２）δ１≦Ａ≦δ２  ・・・移動すると所定の時刻になる（表示するタイミング）
（３）Ａ＜δ１        ・・・残り時間が移動所要時間に足りない（表示不可）
ここでδ１＜δ２とする。
【００６３】
例えば、現在位置から該当コンテンツの位置までの移動所要時間が６０分であり、δ１＝０、δ２＝１０分とする。現在時刻から該当コンテンツに指定された時刻情報までの残り時間が９０分であればＡ＝３０分となり、移動時間に余裕があるので、（１）の通りまだ表示する必要はない。残り時間が３０分であればＡ＝−３０分となり、移動しても間に合わない（３）のケースとなるので、そのコンテンツの表示は利用者にとって効果がない。残り時間が６５分であれば、Ａ＝５分であり、６０分かけて移動してから５分後にコンテンツの指定時刻となるため、（２）のケースで今がそのコンテンツの表示タイミングとしては適当であるという判断が可能となる。
【００６４】
そして、端末装置２０２は、上述した通り一定時間間隔が経過した後、または一定距離移動した後、などの実施のタイミングにおいて、再びＳＴ５０３以降を繰り返す。
【００６５】
次に、ＳＴ５０７において、端末装置２０２が表示部１０９へのコンテンツの表示方法について、図６を用いて説明する。端末装置２０２の表示制御部１０８が表示部１０９へ表示する手順は以下の順番になる。
【００６６】
まず、表示制御部１０８は、端末装置２０２が利用者に参照されていない場合に、表示部１０９を用いて、表示すべきコンテンツ１０１があることを警告音、振動、コンテンツの音声のみの再生、などの手段で利用者に通知する。
【００６７】
次に、表示制御部１０８は、６０１に示すように、表示すべきコンテンツ１０１の一覧を表示する。また、表示制御部１０８は、６０５に示すように、コンテンツ１０１の一覧とともに計算した移動所要時間を表示する。また、この際、表示制御部１０８は、表示すべきコンテンツ１０１を移動所要時間の短い順に並べて表示する。
【００６８】
次に、端末装置２０２に対して、コンテンツ１０１の選択があった場合（図では１を入力する）と、表示制御部１０８は、６０２に示すように、選択されたコンテンツの詳細情報を表示する。さらに、表示制御部１０８は、６０２に示すように、コンテンツ１０１の詳細情報からさらに、地図や電車の路線図など移動方法を表示する画面への移動ボタン（図の［詳細］）を表示する。
【００６９】
なお、最初の段階で表示すべきコンテンツ１０１が１つしかない場合は、表示制御部１０８は、コンテンツ１０１の一覧を表示せずに、６０２に示すコンテンツ１０１の詳細のみを表示する。
【００７０】
また、端末装置２０２が別の用途で利用者に参照されている場合、以下の順番でコンテンツを表示する。
【００７１】
例えば、６０３に示すように、利用者が電子メールを参照している場合、表示制御部１０８は、６０６に示すように、画面の一部にコンテンツ１０１を割り込み表示する。次に、利用者が割り込み表示したコンテンツ１０１の部分を左方向にスクロール表示させると、表示制御部１０８は、図中６０４の６０７に示すようにコンテンツ１０１の内容をスクロールする。これにより、利用者は、コンテンツ１０１の内容の全体を把握できる。
【００７２】
さらに、利用者が割り込み表示したコンテンツ１０１の詳細を知ろうとして「＃」を入力すると、表示制御部１０８は、６０２に示すようにこのコンテンツ１０１の詳細情報を表示する。
【００７３】
次に、端末装置２０２が、動画コンテンツを表示されている場合のコンテンツ表示手順について、図７を用いて説明する。
【００７４】
端末装置２０２の表示制御部１０８は、７０１に示すように動画コンテンツを表示している場合、７０２に示すように動画コンテンツの再生をいったん中断してＣＭのように表示すべきコンテンツの詳細情報を一定時間だけ画面全体に割り込み表示してから、７０３に示すように、動画コンテンツの再生を再開する。
【００７５】
なお、端末装置２０２は、７０１に示すように動画コンテンツを表示している場合、図６の６０３に示す画面と同様に画面の一部を使って割り込み表示してもよい。
【００７６】
このように、端末装置２０２は、位置や時刻に関連したコンテンツ１０１を、関連した時刻に関連した位置に到着できるようなタイミングで表示する。
【００７７】
また、端末装置２０２は、複数の移動手段を想定していてもよい。例えば、ＳＴ５０４において、所要時間計算部１０６が現在位置とコンテンツの位置情報との距離を計算する際、徒歩、電車、自転車、自動車、船舶、航空機での移動経路をそれぞれ計算する。また、それぞれにかかる移動所要時間を、想定平均移動速度や時刻表などから計算してもよい。
【００７８】
また、この場合、所要時間計算部１０６は、自動車の場合一般道路と有料道路とを区別して計算したり、電車の場合通常料金と有料特急を利用した場合とを区別して計算したりしてもよい。この場合の表示例を図８に示す。
【００７９】
表示制御部１０８は、画面８０１の８０２に示すように、通常の移動では間に合わないこと、または急がないと（特急を使用しないと）間に合わないことを表示する。
【００８０】
このように、コンテンツ１０１の詳細を表示する際に、代替の移動手段があることを表示するだけでなく、移動手段に応じて間に合う、間に合わないという表示をすることができる。これにより、利用者に対してどのような移動手段があるのか、また、どのような移動手段を使用すれば間に合うのか認識させることができる。また、間に合う移動手段と間に合わない移動手段において、文字や色、音声など表示・提示の仕方を変えることにより、利用者が容易に使用する移動手段を選択することができる。
【００８１】
以上説明したように、実施の形態１によれば、特定の時刻に有効となるコンテンツ１０１を、そのコンテンツ１０１に関連付けられた地理的位置から端末装置２０２が離れた距離にあってもその間の移動所要時間を見込むことにより、コンテンツ１０１が有効となる時間より前に端末装置２０２がコンテンツに関連付けられた地理的位置に到着できるタイミングで表示することができる。つまり、利用者は、コンテンツ１０１の表示を参照してから移動所要時間かけてコンテンツ１０１に記載された位置に移動し、コンテンツ１０１に記載された時刻に行われるイベント等を体験することができる。つまり、コンテンツ１０１の効果を最大限にユーザに提供することができる。
【００８２】
なお、表示時刻計算部１０７が、コンテンツ１０１に記載された時刻情報と、所要時間計算部１０６が計算した移動所要時間とから、コンテンツ１０１を表示すべき時刻を計算し、表示制御部１０８が、現在時刻取得部１０５が取得した現在時刻と、表示時刻計算部１０７が計算したコンテンツの表示時刻とを比較して、コンテンツを表示するかどうかを決定する形態であっても良い。詳細には、表示時刻計算部１０７が移動所要時間からコンテンツ１０１に記載された時刻情報までに移動を完了できる時刻を、コンテンツ１０１を表示すべき時刻として計算する。すなわち、所要時間計算部１０６は、コンテンツ１０１に記載された時刻情報から移動所要時間を引いた時刻を、コンテンツ１０１を表示すべき時刻として計算する。
【００８３】
例えば、コンテンツが１４時のイベントについての情報であり、そのイベントが催される場所までの移動所要時間が３０分であるとすると、遅くとも１３時３０分に利用者にそのコンテンツを表示しなければ、移動してもイベントに間に合わないことがわかる。そこで、表示時刻計算部１０７は、１３時３０分を表示すべき時刻として計算する。そして、表示制御部１０８は、現在時刻が１３時であれば表示する必要はないが、現在時刻が１３時２０分だった場合、移動の余裕を見てコンテンツを表示する、といった判断をする。
【００８４】
また、端末装置２０２の応用例として、スケジュール管理端末が考えられる。仕事上の会議や趣味のイベント、待ち合わせなどについて、時刻と場所を指定することにより、利用者がスケジュール管理するイベントを忘れていて離れた場所にいたとしても、利用者にイベントの予告を通知することが可能となる。また、スケジュールを利用者が直接入力するだけでなく、放送や通信で受信したコンテンツのうち利用者が関心のあるコンテンツのみをそのままスケジュールとして入力することにより、利用者に関心のある未知のイベントの存在をタイミングよく通知することが可能となる。受信したコンテンツのスケジュールへの入力は、利用者のプロファイル情報とコンテンツの属性情報との一致により自動的に実施されるのが望ましい。
【００８５】
（実施の形態２）
本発明の実施の形態２にかかる端末装置について説明する。実施の形態２は、コンテンツを受信し、受信したコンテンツを選別してから、実施の形態１にかかる表示制御を行うようにしたものである。
【００８６】
次に、実施の形態２にかかる端末装置の構成について、図９を用いて説明する。図９は、実施の形態２にかかる端末装置の構成図である。なお、図９において、図１と同じ構成要素については同じ符号を用い、詳細な説明を省略する。
【００８７】
実施の形態２にかかる端末装置９００には、放送または通信で伝送されてきたコンテンツ１０１を受信する受信部９０１が設けられている。受信部９０１は、受信したコンテンツ１０１を蓄積部９０２に蓄積する。
【００８８】
また、端末装置９００には、端末装置の利用者のプロファイル情報として、例えば年齢、年代、性別、職業、趣味などの情報を蓄積しておくプロファイル情報管理部９０３が設けられている。また、表示履歴管理部９０５は、表示制御部１０８が表示したコンテンツ１０１の表示履歴を管理する。
【００８９】
また、端末装置９００には、蓄積部９０２に蓄積されたコンテンツ１０１から表示選択処理対象のコンテンツ１０１を選択するコンテンツ選択部９０４が設けられている。コンテンツ選択部９０４は、現在位置取得部１０４で取得する現在位置情報を使って、蓄積部９０２に蓄積されたコンテンツから現在位置から一定の距離以内の位置が対応付けられたコンテンツ１０１を選択する。例えば、コンテンツ選択部９０４は、現在位置から距離３０ｋｍ以内に対応付けられたコンテンツ１０１を表示選択処理対象とすることにより、時間に換算しておよそ１時間で移動できる範囲のコンテンツ１０１に絞って表示選択処理をすることができる。
【００９０】
また、コンテンツ選択部９０４は、プロファイル情報管理部９０３が管理する利用者のプロファイル情報と一致するコンテンツ１０１のみを表示選択対象として選択する。これにより、例えば、コンテンツ１０１に図３や図４の位置及び時刻情報と同様にコンテンツに関する属性情報を記載することにより、情報を絞ることができる。例えば、利用者がスポーツに関心がある場合、遠く離れた位置に関連するコンテンツ１０１であっても、属性情報にスポーツに関する記載のあるコンテンツ、スポーツイベントやスポーツ店などの情報に絞って表示の確認をすることができる。
【００９１】
また、コンテンツ選択部９０４は、現在時刻を用いて、現在位置より以前の時刻情報が対応付けられたコンテンツ１０１や、遠い将来が対応付けられたコンテンツ１０１を省くようにする。これにより、すでに有効でなくなったコンテンツ１０１や、有効ではあるがしばらくは使用しないコンテンツ１０１を省くことができる。
【００９２】
また、コンテンツ選択部９０４は、表示履歴管理部９０５が管理するコンテンツ１０１の表示履歴に基づいて、表示選択対象のコンテンツ１０１を選択する。これにより、同一のコンテンツ１０１が繰り返し表示されることを避けることができる。
【００９３】
第１の例として、表示履歴管理部９０５がコンテンツの表示時刻を管理する場合がある。コンテンツ選択部９０４は、表示時刻が所定の時間内であるコンテンツ、例えば１分前に表示されたコンテンツを、選択対象から除外することにより、コンテンツの繰り返し表示を防ぐ。
【００９４】
第２の例として、表示履歴管理部９０５がコンテンツの表示回数を管理する場合がある。コンテンツ選択部９０４は、表示回数が所定の回数以上であるコンテンツ、例えば５回以上表示されたコンテンツを選択対象から除外することにより、コンテンツの繰り返し表示を防ぐ。
【００９５】
第３の例として、表示履歴管理部９０５がコンテンツの表示位置を管理する場合がある。コンテンツ選択部９０４は、現在位置取得部１０４が取得した現在位置と表示位置との距離を計算し、一定以内の距離のコンテンツ、例えば前回表示してから１００ｍしか移動していない位置にあるコンテンツを選択対象から除外することにより、コンテンツの繰り返し表示を防ぐ。
【００９６】
このように、コンテンツ選択部９０４は、表示選択対象とするコンテンツ１０１を絞り込んで出力する。なお、コンテンツ選択部９０４が、コンテンツ１０１を絞り込む条件は、現在位置情報、現在時刻情報、プロファイル情報、表示履歴の全てでなくても、いずれかひとつ、もしくは組み合わせても良い。
【００９７】
以上説明したように、実施の形態２によれば、受信したコンテンツ１０１が大量にある場合に、予め所定の条件で絞込むことができる。これは、通信等を用いて大量のコンテンツ１０１を扱う形態に好適である。
【産業上の利用可能性】
【００９８】
本発明によれば、離れた場所に対応付けられたコンテンツであっても、移動を考慮した適切なタイミングで表示することができる。また、本発明は、受信した放送コンテンツ、通信コンテンツ、もしくは蓄積されたコンテンツを表示する携帯コンテンツ表示装置、車載コンテンツ表示装置等に広く利用可能である。
【図面の簡単な説明】
【００９９】
【図１】本発明の実施の形態１における全体構成を示す図
【図２】実施の形態１における端末装置の構成図
【図３】実施の形態１におけるコンテンツの例を示す図
【図４】実施の形態１におけるコンテンツの付帯情報の記述例を示す図
【図５】実施の形態１における端末装置の処理手順を説明するフローチャート
【図６】実施の形態１における端末装置のコンテンツの表示例を示す第１の図
【図７】実施の形態１における端末装置のコンテンツの表示例を示す第２の図
【図８】実施の形態１における端末装置のコンテンツの表示例を示す第３の図
【図９】本発明の実施の形態２における端末装置の構成図
【符号の説明】
【０１００】
１０１  コンテンツ
１０２  位置情報取得部
１０３  時刻情報取得部
１０４  現在位置取得部
１０５  現在時刻取得部
１０６  所要時間計算部
１０７  表示時刻計算部
１０８  表示制御部
１０９  表示部
２０２、９００  端末装置
９０１  受信部
９０２  蓄積部
９０３  プロファイル情報管理部
９０４  コンテンツ選択部
９０５  表示履歴管理部
【図１】
2007041955.tif 000003
【図２】
2007041955.tif 000004
【図３】
2007041955.tif 000005
【図４】
2007041955.tif 000006
【図５】
2007041955.tif 000007
【図６】
2007041955.tif 000008
【図７】
2007041955.tif 000009
【図８】
2007041955.tif 000010
【図９】
2007041955.tif 000011